(57)【特許請求の範囲】
【請求項１】
作業者が乗って作業するための作業布板を含んで構築される仮設足場に、前記作業布板に沿って配設される幅木を取り付けるための取付具であって、
前記幅木の厚さ方向の間隔をあけて並設配置されている第１及び第２挟み部材を有し、これらの第１及び第２挟み部材の間に前記幅木が配置されて挟まれることにより、この幅木が前記仮設足場に取り付けられ、
前記第１及び第２挟み部材のうち、第２挟み部材は、前記第１挟み部材に対して、この第１挟み部材とで前記幅木を挟む位置から移動可能となっており、前記第２挟み部材が、前記第１挟み部材とで前記幅木を挟む位置からずれた位置に移動することにより、前記幅木は前記第１及び第２挟み部材により挟まれる箇所に配置可能となっており、
前記第１挟み部材には、前記幅木を貫通するピン部材が設けられ、前記第２挟み部材には、この第２挟み部材が前記第１挟み部材とで前記幅木を挟む位置に達したときに前記ピン部材が挿入される凹部が設けられており、前記第２挟み部材には、この凹部が前記ピン部材から外れて前記第２挟み部材が前記第１挟み部材とで前記幅木を挟む位置からずれることを防止するためのロック手段が設けられていることを特徴とする仮設足場用幅木の取付具。
【請求項２】
請求項１に記載の仮設足場用幅木の取付具において、前記ロック手段は、前記ピン部材が挿入されている前記凹部の開口部を塞ぐための塞ぎ部材を有していることを特徴とする仮設足場用幅木の取付具。
【請求項３】
請求項１又は２に記載の仮設足場用幅木の取付具において、前記第１挟み部材に対して前記第２挟み部材は、前記第１挟み部材に水平に設けられた支点軸を中心に回動可能となっており、この回動により、前記第２挟み部材は、前記第１挟み部材とで前記幅木を挟む位置からずれた位置に移動し、前記支点軸を中心に前記第２挟み部材が上側へ回動することにより、前記幅木は前記第１及び第２挟み部材により挟まれる箇所に配置可能となることを特徴とする仮設足場用幅木の取付具。
【請求項４】
請求項１〜３のいずれかに記載の仮設足場用幅木の取付具において、前記第１挟み部材は、平面視で９０度の屈曲角度の形状を有しており、この第１挟み部材に対して前記第２挟み部材が、平面視で９０度の角度をなして２個配設されていることを特徴とする仮設足場用幅木の取付具。
【請求項５】
請求項１〜４のいずれかに記載の仮設足場用幅木の取付具において、前記仮設足場は、支柱を含んで構成されており、この支柱に結合されることを特徴とする仮設足場用幅木の取付具。
【発明の詳細な説明】
【技術分野】
【０００１】
本発明は、建築や土木等の作業現場で作業布板が用いられて構築される仮設足場に、作業布板に沿って配置される幅木を取り付けるための取付具に係り、例えば、支柱が用いられて構築される仮設足場に利用できるものである。
【背景技術】
【０００２】
下記の特許文献１には、作業者が乗って作業するための作業布板を含んで構築される仮設足場において、作業布板に沿って配設される幅木を仮設足場に取り付けるための技術が示されている。この技術では、幅木にスライドロック金具を上下方向にスライド可能に設け、このスライドロック金具の下端のロック片を作業布板の下面に係止することにより、幅木が作業布板に結合されて仮設足場に取り付けられるようになっている。
【先行技術文献】
【特許文献】
【０００３】
【特許文献１】特開２００２−２２７４０２号公報
【発明の概要】
【発明が解決しようとする課題】
【０００４】
以上のように、幅木に上下方向にスライド可能に設けられたスライドロック金具の下端のロック片を作業布板の下面に係止することにより、幅木を仮設足場に取り付ける構造では、幅木にスライドロック金具を上下方向にスライド可能に設けなければならないため、幅木の構造が複雑になるとともに、仮設足場への幅木の取り付けのために手間がかかることになる。
【０００５】
本発明の目的は、幅木の構造が複雑にならず、また、この幅木を仮設足場に簡単に取り付けることができるようになる仮設足場用幅木の取付具を提供するところにある。
【課題を解決するための手段】
【０００６】
本発明に係る仮設足場用幅木の取付具は、作業者が乗って作業するための作業布板を含んで構築される仮設足場に、前記作業布板に沿って配設される幅木を取り付けるための取付具であって、前記幅木の厚さ方向の間隔をあけて並設配置されている第１及び第２挟み部材を有し、これらの第１及び第２挟み部材の間に前記幅木が配置されて挟まれることにより、この幅木が前記仮設足場に取り付けられることを特徴とするものである。
【０００７】
この仮設足場用幅木の取付具は、幅木の厚さ方向の間隔をあけて並設配置されている第１及び第２挟み部材を有しており、これらの第１及び第２挟み部材の間に幅木が配置されて挟まれることにより、この幅木が仮設足場に取り付けられるため、幅木の構造は複雑にならず、また、この幅木を仮設足場に簡単に取り付けることができるようになる。
【０００８】
以上の本発明において、幅木の厚さ幅方向の間隔をあけて並設配置される第１及び第２挟み部材は、固定的に並設配置されているものとしてもよいが、第１及び第２挟み部材のうち、第２挟み部材を、第１挟み部材に対して、この第１挟み部材とで幅木を挟む位置から移動可能とし、第２挟み部材を第１挟み部材とで幅木を挟む位置からずれた位置に移動させることにより、幅木を第１及び第２挟み部材により挟まれる箇所に配置可能とすることが好ましい。
【０００９】
これによると、幅木を第１及び第２挟み部材により挟まれる箇所に配置する作業を、第２挟み部材を第１挟み部材とで幅木を挟む位置からずれた位置に移動させた後に行うことができるため、この作業を、第２挟み部材が邪魔にならずに容易に行えるようになる。
【００１０】
なお、このように第２挟み部材を、第１挟み部材に対して、この第１挟み部材とで幅木を挟む位置から移動可能とするためには、例えば、第１挟み部材に対して第２挟み部材を、第１挟み部材に水平に設けられた支点軸を中心に回動可能とし、この回動により、第２挟み部材を、第１挟み部材とで幅木を挟む位置からずれた位置に移動可能とし、支点軸を中心に第２挟み部材を上側へ回動させることにより、幅木を第１及び第２挟み部材により挟まれる箇所に配置できるようにしてもよく、あるいは、第１挟み部材に対して第２挟み部材を上下動可能とし、第１挟み部材に対して第２挟み部材を上動させることにより、第２挟み部材を、第１挟み部材とで幅木を挟む位置からずれた位置に移動させ、これにより、幅木を第１及び第２挟み部材により挟まれる箇所に配置できるようにしてもよい。
【００１１】
また、以上のように第２挟み部材を、第１挟み部材に対して、この第１挟み部材とで幅木を挟む位置から移動可能とし、第２挟み部材を第１挟み部材とで幅木を挟む位置からずれた位置に配置することにより、幅木を第１及び第２挟み部材により挟まれる箇所に配置できるようにする場合には、第１挟み部材に、幅木を貫通するピン部材を設けるとともに、第２挟み部材には、この第２挟み部材が第１挟み部材とで幅木を挟む位置に達したときにピン部材が挿入される凹部を設け、また、第２挟み部材には、この凹部がピン部材から外れて第２挟み部材が第１挟み部材とで幅木を挟む位置からずれることを防止するためのロック手段を設けてもよい。
【００１２】
これによると、凹部がピン部材から外れて第２挟み部材が第１挟み部材とで幅木を挟む位置からずれることをロック手段により防止でき、このため、幅木が、第１及び第２挟み部材の間に配置されてこれらの挟み部材に挟まれることにより仮設足場に取り付けられることを一層確実に実現できることになる。
【００１３】
なお、ロック手段は、凹部がピン部材から外れて第２挟み部材が第１挟み部材とで幅木を挟む位置からずれることを防止できるものであれば、任意の構成、形態のものでよく、その一例のロック手段は、ピン部材が挿入されている凹部の開口部を塞ぐための塞ぎ部材を有するものである。
【００１４】
また、本発明に係る仮設足場用幅木の取付具は、１個の幅木を仮設足場に取り付けるためのものでもよく、あるいは、平面視で直角をなして２個配設される幅木を仮設足場に取り付けるためのものでもよい。
【００１５】
本発明に係る仮設足場用幅木の取付具を後者のものとする場合には、第１挟み部材を、平面視で９０度の屈曲角度の形状を有するものとし、この第１挟み部材に対して第２挟み部材を、平面視で９０度の角度をなして２個配設する。これにより、平面視で直角をなして２個配設される幅木のそれぞれを、第１及び第２挟み部材の間に配置してこれらの挟み部材により挟むことができる。
【００１６】
なお、２個の幅木が平面視で直角をなすところは、前述の作業布板により形成される作業者歩行通路の曲がり箇所のコーナー部のところであり、本発明に係る仮設足場用幅木の取付具が適用されるコーナー部は、内コーナー部でもよく、外コーナー部でもよい。
【００１７】
以上説明した本発明に係る仮設足場用幅木の取付具は、任意の部材を用いて構築される仮設足場に適用することができ、この部材は支柱でもよく、建枠でもよい。
【００１８】
本発明に係る仮設足場用幅木の取付具が適用される仮設足場が支柱を含んで構成されるものになっている場合には、支柱にこの取付具を結合することにより、本発明に係る仮設足場用幅木の取付具を仮設足場に取り付けることができる。
【００１９】
また、本発明に係る仮設足場用幅木の取付具は、作業者が乗って作業するための作業布板を含んで構築され、作業布板に沿って幅木が配設される仮設足場であれば、任意の作業現場で構築される仮設足場に適用することができ、この作業現場は、例えば、建築の作業現場でもよく、土木の作業現場でもよく、解体の作業現場でもよく、塗装の作業現場でもよい。
【発明の効果】
【００２０】
本発明によると、幅木の構造が複雑にならず、また、この幅木を仮設足場に簡単に取り付けることができるようになるという効果を得られる。
【図面の簡単な説明】
【００２１】
【図１】図１は、本発明の一実施形態に係る取付具が適用されている仮設足場の一部を示す斜視図である。
【図２】図２は、図１の一部の拡大図であって、作業布板により形成される作業者歩行通路の曲がり箇所の内コーナー部の箇所に配設されている取付具を示す斜視図である。
【図３】図３は、図２に示されている取付具を示す平面図である。
【図４】図４は、図３のＳ４矢視図である。
【図５】図５は、図３のＳ５矢視図である。
【図６】図６は、幅木を第１及び第２挟み部材の間に配置するために、図４で示されている第２挟み部材を第１挟み部材に対して支点軸を中心に上側へ回動させたときを示す図４と同様の図である。
【図７】図７は、第２挟み部材を第１挟み部材に対して支点軸を中心に下側へ回動させたときを示す図４と同様の図である。
【図８】図８は、図１に示されている作業者歩行通路の曲がり箇所の外コーナー部の箇所に配設されている取付具を作業者歩行通路側から見た示す斜視図である。
【発明を実施するための形態】
【００２２】
以下に本発明を実施するための形態を図面に基づいて説明する。図１には、建築等の作業現場で構築されている仮設足場の一部が示されており、作業対象物の外周に構築されたこの仮設足場は、複数本の支柱１と、これらの支柱１ごとに支柱１の下端に配置され、それぞれの支柱１の高さを調整するためのジャッキベース２と、作業者が乗って作業するための作業布板３とを含んでいる。それぞれ支柱１の外周面には、継手部材となっている複数個のフランジ４が上下方向に等間隔で結合されており、また、それぞれの支柱１の上端には、図示しない継ぎ足し用支柱の下端が図示しない連結パイプを介して連結され、これらの継ぎ足し用支柱により仮設足場の大きな高さ寸法が確保される。
【００２３】
作業布板３は、複数個の作業布板３が長さ方向や幅方向に並設されることにより作業者歩行通路５を形成するものであり、図１で示されている作業者歩行通路５は、平面視で直角に屈曲した曲がり箇所５Ａを有するものになっており、前述の複数本の支柱１のうちには、曲がり箇所５Ａの内コーナー部に立設された支柱１Ａと、曲がり箇所５Ａの外コーナー部に立設された支柱１Ｂとがある。
【００２４】
図１に示されている作業布板３には、幅寸法が大きい作業布板３Ａと、幅寸法が小さい作業布板３Ｂとがあり、これらの作業布板３Ａ，３Ｂの長さ方向の両端部には、作業布板３Ａ，３Ｂごとに２個のフック部材６が設けられている。これらのフック部材６は、複数本の支柱１のうち、作業布板３Ａ，３Ｂの幅方向両側に立設されている２本の支柱１のフランジ４に架け渡されている横架材７に係止され、これにより、それぞれの作業布板３Ａ，３Ｂは、仮設足場に水平に配置されている。
【００２５】
また、仮設足場には、作業布板３よりも上側において、作業布板３に沿って配設された幅木５０が取り付けられており、作業布板３の幅方向の端部や長さ方向の端部に、言い換えると、作業者歩行通路５の幅方向の端部に配設された幅木５０により、作業者歩行通路５の上に落ちた工具等が、作業者歩行通路５から落下することが防止されるようになっている。
【００２６】
図２は、図１で示されている作業者歩行通路５の曲がり箇所５Ａの内コーナー部に立設された支柱１Ａの箇所を拡大して示しており、この図２には、横架材７の端部をフランジ４に連結するためのクサビ部材８が示されている。また、図２には、曲がり箇所５Ａの内コーナー部に立設された支柱１Ａに取り付けられた本実施形態の取付具１０も示されており、この取付具１０は、支柱１Ａに結合されたクランプ１１と、このクランプ１１に板状の連結部材１２によって連結されている取付具本体１３とからなる。
【００２７】
図３は、本実施形態の取付具１０の平面図であり、図４及び図５は、図３のＳ４矢視図及びＳ５矢視図である。図３に示されているように、クランプ１１は、仮設足場に用いられる通常のクランプと同じであり、このため、クランプ１１は、ピン２０により互いの一方の端部同士が回動自在に連結された第１及び第２挟着部材２１，２２と、第１挟着部材２１の他方の端部にピン２３により基端部が回動自在に連結され、ナット２４が螺合されているねじ棒２５とからなる。支柱１Ａの外周に第１及び第２挟着部材２１，２２を嵌合配置した後に、ねじ棒２５を第２挟着部材２２の他方の端部に形成されている図５の凹部２２Ａに嵌合し、第２挟着部材２２のこの端部に当接させたナット２４を締め付けることにより、第１及び第２挟着部材２１，２２は支柱１Ａの外周を挟着し、これにより、クランプ１１は支柱１Ａに結合されて、本実施形態に係る取付具１０は、支柱１Ａを含んで構築されている仮設足場に取り付けられることになる。
【００２８】
クランプ１１と取付具本体１３とを連結する連結部材１２は、板材の折り曲げ品であり、本実施形態では、図３〜図５で分かるように、クランプ１１の第１挟着部材２１に溶接等で結合した短寸のねじ棒２６を連結部材１２に形成した孔に挿入し、ねじ棒２６に螺合したナット２７を締め付けることにより、連結部材１２の上部が第１挟着部材２１に結合されており、また、連結部材１２の下部は取付具本体１３に溶接等で結合されており、これにより、クランプ１１の下側に配置された取付具本体１３は、連結部材１２を介してクランプ１１に連結されている。
【００２９】
取付具本体１３は、図３〜図５に示されているように、１個の第１挟み部材３１と２個の第２挟み部材３２とを有するものになっている。第１挟み部材３１は、図３から分かるように、一枚の板材を、中間部３１Ａを設けて平面視で９０度の屈曲角度の形状を有するものに折り曲げ成形したものであり、中間部３１Ａの両側は、平面視で９０度をなす第１面部３１Ｂと第２面部３１Ｃになっている。この取付具本体１３は、図１で示した作業者歩行通路５の曲がり箇所５Ａの内コーナー部に配設されるものであるため、９０度の屈曲角度は、作業者歩行通路５の外側に向いた角度になっている。第１面部３１Ｂと第２面部３１Ｃのそれぞれには、作業者歩行通路５の内側において、第２挟み部材３２がこれらの面部３１Ｂ，３１Ｃとの間隔をあけて対面配設されており、これにより、取付具本体１３の第１挟み部材３１と第２挟み部材３１は、図４及び図５に示されているように、前述の作業布板３に沿って配設される幅木５０の厚さ方向の間隔をあけて並設配置されているとともに、２個の第２挟み部材３２が、平面視で９０度の角度をなして第１挟み部材３１に配設されている。
【００３０】
図４及び図５のうち、図４には、２個の第２挟み部材３２のうち、第１挟み部材３１の第１面部３１Ｂと対面配設されている一方の第２挟み部材３２が示されており、図５には、第１挟み部材３１の第２面部３１Ｃと対面配設されている他方の第２挟み部材３２が示されている。これらの第２挟み部材３２の第１及び第２面部３１Ｂ，３１Ｃへの取付構造は同じであり、また、これらの第２挟み部材３２の形状や構造等も同じであるため、以下では、図４に示されている第１挟み部材３１の第１面部３１Ｂと対面配設されている第２挟み部材３２について説明する。
【００３１】
略縦長形状を有している第２挟み部材３２は、第１挟み部材３１に水平に設けられた軸となっていて、第２挟み部材３２の上部を貫通した軸となっている支点軸３３を中心に、第１挟み部材３１に対して上下に回動自在となっている。本実施形態では、この支点軸３３は、図４及び図５から分かるように、ボルト頭部３４Ａから作業者歩行通路５の内側へ延びているボルト軸部３４Ｂであり、このボルト軸部３４Ｂは、第１及び第２挟み部材３１，３２に形成されている孔に挿通され、第２挟み部材３２から突出したボルト軸部３４Ｂの先端にナット３５が螺合されている。そして、第１挟み部材３１と第２挟み部材３２との間に適切な間隔をあけるために、言い換えると、第１挟み部材３１と第２挟み部材３２との間に、図１、図４及び図５で示されている幅木５０を配置できる大きさの間隔をあけるために、これらの挟み部材３１，３２の間において、ボルト軸部３４Ｂの外周に筒状のスペース部材３６が嵌合されている。
【００３２】
このため、第２挟み部材３２は、支点軸３３を中心に第１挟み部材３１に対して、スペース部材３６による所定間隔を維持しながら上下回動自在となっている。
【００３３】
図４及び図５に示されているように、第１挟み部材３１には、支点軸３３よりも下側において、ピン部材３７の基部が結合されており、このピン部材３７は、第１挟み部材３１から水平に作業者歩行通路５の内側に延出している。第２挟み部材３２には、ピン部材３７と対応する位置において、凹部３８が形成されており、第２挟み部材３２の左右両側面のうち、一方の側面から他方の側面に向かって延びる深さを有しているこの凹部３８は、支点軸３３を中心とする円弧状となっている。このため、第２挟み部材３２が、支点軸３３を中心に第２挟み部材３２自身の重量により最下位の回動位置に達しているときには、ピン部材３７は凹部３８の内部に挿入されている。そして、本実施形態では、ピン部材３７の先端部は、ピン部材本体よりも直径が大きい頭部３７Ａとなっている。
【００３４】
第２挟み部材３２には、略縦長形状となっている塞ぎ部材３９が配置されており、この塞ぎ部材３９には、塞ぎ部材３９の長さ方向に長くなっている長孔３９Ａが形成されており、この長孔３９Ａに、第２挟み部材３２に結合されている２個のガイドピン４０，４１が挿入されている。この塞ぎ部材３９は、ガイドピン４０，４１の案内作用により、第２挟み部材３２に対して上下方向又は略上下方向に移動自在となっており、第２挟み部材３２が支点軸３３を中心に第２挟み部材３２自身の重量により最下位の回動位置に達している通常時においては、塞ぎ部材３９は、塞ぎ部材３９自身の重量により、ガイドピン４０，４１で規定される最下位置まで下降している。
【００３５】
このように塞ぎ部材３９が塞ぎ部材３９自身の重量により最下位置まで下降しているときには、図４に示されているように、第２挟み部材３２に形成されていて、ピン部材３７が挿入されている凹部３８の開口部が塞ぎ部材３９により塞がれることになる。このため、第２挟み部材３２が支点軸３３を中心に上側へ回動して凹部３８がピン部材３７から外れることは、塞ぎ部材３９により阻止されることになる。
【００３６】
図１で示されているように、前述の作業布板３の長さ方向や幅方向の長さを有している幅木５０は、図４及び図５の二点鎖線で示されているように、作業者歩行通路５の幅方向、言い換えると、作業布板３の長さ方向や幅方向に凹凸となっている凹部と凸部が上下方向に連設されたものになっており、このような幅木５０は、例えば、アルミ又はアルミ合金の押し出し成形又は引き抜き成形により形成されている。また、幅木５０には、本実施形態の取付具１０の配置箇所と対応する長さ方向の端部には、図４及び図５に示されている孔５０Ａが形成されている。
【００３７】
次に、本実施形態の取付具１０により幅木５０を仮設足場に取り付けるための作業について説明する。
【００３８】
本実施形態の取付具１０を、支柱１Ａにクランプ１１により取り付けた後に、凹部３８の開口部を塞いでいる塞ぎ部材３９をガイドピン４０，４１に案内させて上側へ移動させ、これにより、凹部３８の開口部を開放し、次いで、図６に示されているように、第２挟み部材３２を支点軸３３を中心に上側へ回動させて、凹部３８をピン部材３７から外す。この後に、幅木５０の長さ方向の端部に形成されている孔５０Ａに、取付具本体１３の第１挟み部材３１に結合されているピン部材３７を挿入、貫通させることにより、幅木５０をこの第１挟み部材３１よりも作業者歩行通路５の内側に配置し、次いで、第２挟み部材３２を支点軸３３を中心に下側へ回動させ、これにより、図７に示されているように、幅木５０の長さ方向の端部を第１挟み部材３１と第２挟み部材３２により挟む。
【００３９】
これにより、幅木５０の長さ方向の端部は、本実施形態の取付具１０に幅木５０の厚さ方向の間隔をあけて配設されている第１挟み部材３１と第２挟み部材３２との間に配置されることになり、これらの挟み部材３１，３２により幅木５０の長さ方向の端部が挟まれることにより、この幅木５０は、本実施形態の取付具１０により仮設足場に取り付けられる。
【００４０】
そして、このように幅木５０の長さ方向の端部が、第１挟み部材３１と第２挟み部材３２との間に配置されてこれらの挟み部材３１，３２により挟まれたときには、図７に示されているように、第２挟み部材３２は支点軸３３を中心とする回動方向の最下位置に達しているため、第２挟み部材３２の凹部３８には、第１挟み部材３１に結合されているピン部材３７が挿入されているとともに、第２挟み部材３２にガイドピン４０，４１で案内されて移動自在に配置されている塞ぎ部材３９は、塞ぎ部材３９自身の重量により下降し、これにより、凹部３８の開口部が塞ぎ部材３９により塞がれている。
【００４１】
このため、第２挟み部材３２が支点軸３３を中心に上側へ回動することで凹部３８がピン部材３７から外れて、第２挟み部材３２が第１挟み部材３１とで幅木５０の長さ方向の端部を挟む位置からずれることを防止することができる。そして、このような防止は、塞ぎ部材３９や、この塞ぎ部材３９の移動を案内するガイドピン４０，４１により達成されているため、これらの塞ぎ部材３９やガイドピン４０，４１により、凹部３８がピン部材３７から外れて第２挟み部材３２が第１挟み部材３１とで幅木５０の長さ方向の端部を挟む位置からずれることを防止するためのロック手段４２が構成されていることになる。
【００４２】
上述したように第２挟み部材３２を支点軸３３を中心に上側へ回動させた後に、支点軸３３を中心に下側へ回動させることにより、幅木５０の長さ方向の端部を、第１挟み部材３１と第２挟み部材３２との間に配置してこれらの挟み部材３１，３２により挟むための作業は、第１挟み部材３１の前述した第１面部３１Ｂと第２面部３１Ｃとに対面配設されている２個の第２挟み部材３２のそれぞれについて行われ、これにより、図１で示されているように、本実施形態の取付具１０の両側に平面視で直角をなして配置される２個の幅木５０のそれぞれの長さ方向の一方の端部が、本実施形態に係る取付具１０により仮設足場に取り付けられる。
【００４３】
なお、本実施形態では、それぞれの幅木５０の長さ方向の他方の端部や、幅木５０の長さ方向の途中部は、図１に示されているように、支柱１と、この支柱１に結合されたクランプ１１に設けられている下向きの延出部材４３との間に配置され、これらの支柱１と延出部材４３とに挟まれて仮設足場に取り付けられる。
【００４４】
また、それぞれの幅木５０を、作業者歩行通路５を形成している作業布板３の幅方向の端部や長さ方向の端部の上に載せることにより、あるいは、前述した横架材７の上に載せることにより、幅木５０の重量を仮設足場で支持するようにしてもよい。
【００４５】
以上説明した本実施形態によると、取付具１０は、幅木５０の厚さ方向の間隔をあけて並設配置されている第１及び第２挟み部材３１，３２を有しており、これらの第１及び第２挟み部材３１，３２の間に幅木５０が配置されて挟まれることにより、幅木５０が仮設足場に取り付けられるため、幅木５０の構造は複雑にならず、また、この幅木５０を仮設足場に簡単に取り付けることができる。
【００４６】
また、本実施形態では、幅木５０の厚さ方向の間隔をあけて並設配置されている第１及び第２挟み部材３１，３２は、固定的に並設配置されておらず、第２挟み部材３２を、第１挟み部材３１に対して、この第１挟み部材３１とで幅木を挟む位置から移動可能、具体的には、第１挟み部材３１に対して第２挟み部材３２を、第１挟み部材３１に水平に設けられた支点軸３３を中心に上側へ回動可能とし、この回動により、第２挟み部材３２を、第１挟み部材３１とで幅木５０を挟む位置からずれた位置に移動可能とし、支点軸３３を中心に第２挟み部材３２を上側へ回動させることにより、幅木５０を第１及び第２挟み部材３１，３２により挟まれる箇所に配置可能としているため、幅木５０を第１及び第２挟み部材３１，３２により挟まれる箇所に配置するための作業を、第２挟み部材３２が邪魔にならずに容易に行えるようになる。
【００４７】
さらに、第１挟み部材３１には、幅木５０を貫通するピン部材３７が設けられ、第２挟み部材３２には、この第２挟み部材３２を支点軸３３を中心に下側へ回動させて、第２挟み部材３２が第１挟み部材３１とで幅木５０を挟む位置に達したときにピン部材３７が挿入される凹部３８が設けられ、また、第２挟み部材３２には、この凹部３８がピン部材３７から外れて第２挟み部材３２が第１挟み部材３１とで幅木５０を挟む位置からずれることを防止するためのロック手段４２が設けられているため、第２挟み部材３２が支点軸３３を中心に上側へ回動し、凹部３８がピン部材３７から外れて第２挟み部材３２が第１挟み部材３１とで幅木５０を挟む位置からずれることを、塞ぎ部材３９等により構成されているこのロック手段４２により防止でき、これにより、幅木５０が、第１及び第２挟み部材３１，３２の間に配置されてこれらの挟み部材３１，３２に挟まれることにより仮設足場に取り付けられることを一層確実に実現できる。
【００４８】
また、本実施形態に係る取付具の構成要素となっている第１挟み部材３１は、平面視で９０度の屈曲角度の形状を有するものとなっており、この第１挟み部材３１に対して第２挟み部材３２が、平面視で９０度の角度をなして２個配設されているため、平面視で直角をなして２個配設される幅木５０のそれぞれを、第１及び第２挟み部材３１，３２の間に配置してこれらの挟み部材により挟むことができ、これにより、本実施形態に係る取付具１０を、作業布板により形成される作業者歩行通路５の曲がり箇所のコーナー部に適用できる。
【００４９】
以上説明した取付具１０は、図１で示されている作業者歩行通路５の曲がり箇所の内コーナー部に配置されるものであったが、図８は、作業者歩行通路５の曲がり箇所の外コーナー部に配置される取付具１０’を、作業者歩行通路５側から見た斜視図である。図１で示されている支柱１のうち、作業者歩行通路５の曲がり箇所の外コーナー部に立設されている支柱１Ｂに結合されるこの取付具１０’の取付具本体１３も、平面視で９０度の屈曲角度の形状を有する第１挟み部材３１と、この第１挟み部材３１に対して平面視で９０度の角度をなして２個配設されている第２挟み部材３２とを含んで構成されているが、この取付具１０’の取付具本体１３における第１挟み部材３１の平面視で９０度の屈曲角度は、作業者歩行通路５の内側に向いた角度となっている。
【００５０】
このように本発明は、作業者歩行通路５の曲がり箇所の外コーナー部に配置される取付具１０’についても適用することができる。
【産業上の利用可能性】
【００５１】
本発明は、例えば、建築や土木等の作業現場で作業布板が用いられて構築される仮設足場に、作業布板に沿って配置される幅木を取り付けるために利用することができる。
【符号の説明】
【００５２】
１，１Ａ，１Ｂ  支柱
３，３Ａ，３Ｂ  作業布板
１０，１０’  取付具
１３  取付具本体
３１  第１挟み部材
３１Ｂ  第１面部
３１Ｃ  第２面部
３２  第２挟み部材
３３  支点軸
３７  ピン部材
３８  凹部
３９  塞ぎ部材
４２  ロック手段
５０  幅木
【図１】
0006581817.tif 000002
【図２】
0006581817.tif 000003
【図３】
0006581817.tif 000004
【図４】
0006581817.tif 000005
【図５】
0006581817.tif 000006
【図６】
0006581817.tif 000007
【図７】
0006581817.tif 000008
【図８】
0006581817.tif 000009